(57)【要約】【課題】生成される湯を分散して貯湯することで貯湯タンクの小型化を図るとともに、より効率よく湯を生成することのできる経済的に優れたヒートポンプ給湯システムを提供する。【解決手段】圧縮機１１、水熱交換器１２、膨張弁１３、空気熱交換器１４を順次配管接続した冷凍サイクル１５と、水熱交換器１２の水回路に連結し水熱交換器１２で生成した湯を貯留する貯湯タンク３１と、貯湯タンク３１から供給される湯を貯める浴槽５１ａと、浴槽５１ａに設けられその内部を洗浄するための洗浄回路７０と、浴槽に貯められた湯を保温するための湯保温回路８０とを備える。  【選択図】図１
2009264683.tif 000002
【特許請求の範囲】
【請求項１】
圧縮機、水熱交換器、膨張弁、空気熱交換器を順次配管接続した冷凍サイクルと、
前記水熱交換器の水回路に連結し前記水熱交換器で生成した湯を貯留する貯湯タンクと、
前記貯湯タンクから供給される湯を貯める浴槽と、
前記浴槽に設けられその内部を洗浄するための洗浄回路と、
前記浴槽に貯められた湯を保温するための湯保温回路と、
を備えることを特徴とするヒートポンプ給湯システム。
【請求項２】
圧縮機、水熱交換器、膨張弁、空気熱交換器を順次配管接続した冷凍サイクルと、
前記水熱交換器の水回路に連結し前記水熱交換器で生成した湯を貯留する貯湯タンクと、
前記水回路内において、前記水熱交換器と前記貯湯タンクとの間に設けられた流量制御弁と、
前記水回路内において、前記水熱交換器の出口直後に設けられた温度測定器と、
前記貯湯タンクから供給される湯を貯める浴槽と、
前記浴槽に設けられその内部を洗浄するための洗浄回路と、
前記浴槽に貯められた湯を保温するための湯保温回路と、
を備えることを特徴とするヒートポンプ給湯システム。
【請求項３】
前記洗浄回路は、水道管に接続され前記浴槽への洗浄水の供給を制御する洗浄弁と、前記洗浄弁が開になったときに前記浴槽内部へ水を噴霧するノズルと、前記浴槽内部の湯或いは水を排水管へと排水する排水弁とから構成されていることを特徴とする請求項１または請求項２に記載のヒートポンプ給湯システム。
【請求項４】
前記湯保温回路は、前記浴槽に貯められた湯を前記湯保温回路内に循環させるポンプと、前記湯を前記貯湯タンク内の高温の湯との間で熱交換を行う追焚熱交換器と、を備えることを特徴とする請求項１ないし請求項３のいずれかに記載のヒートポンプ給湯システム。
【発明の詳細な説明】
【技術分野】
【０００１】
本発明は、ヒートポンプ給湯システムに関する。
【背景技術】
【０００２】
ヒートポンプ給湯システムを利用して湯を生成する場合、通常は深夜電力を使用する。これは湯を生成する（沸かす）ために使用される電力の電気代を安く済ませることが可能となるからである。生成される湯は、一般的に６５℃から９０℃の湯温を持つ（以下、このような温度を持つ湯を便宜的に「高温の湯」という）。この湯は各使用場所で使用されるまで貯湯タンクに貯めておかれる（特許文献１参照）。また、各使用場所ではこの高温の湯に水道水を混合して湯温を使用に適する温度に落として使用される。
【特許文献１】特開２００７−３３３３３７号公報
【発明の開示】
【発明が解決しようとする課題】
【０００３】
しかしながら、上述の特許文献１に開示された構成も含めヒートポンプ給湯システムを採用した場合、深夜電力の時間帯内にできるだけ多くの量の湯を生成するように制御される。従って多くの場合は、深夜電力の時間が終了する早朝から深夜電力の時間が開始される深夜までその日１日使用される湯を貯めておくだけの大きさを持つ貯湯タンクが必要となる。そのため、一般的に家庭用では３７０ｌから４６０ｌ程の貯湯タンクが必要となり、その容積も大きいことから広い設置スペースの確保が求められる。
【０００４】
また、貯湯タンクへ貯める湯は高温の湯であることから、ヒートポンプ給湯システムを使用しての生成にはより多くの時間と電気を使用することになり高コストである。
【０００５】
本発明は上記課題を解決するためになされたものであり、本発明の目的は、生成される湯を分散して貯湯することで貯湯タンクの小型化を図るとともに、より効率よく湯を生成することのできる経済的に優れたヒートポンプ給湯システムを提供することである。
【課題を解決するための手段】
【０００６】
本発明の実施の形態に係る第１の特徴は、ヒートポンプ給湯システムにおいて、圧縮機、水熱交換器、膨張弁、空気熱交換器を順次配管接続した冷凍サイクルと、水熱交換器の水回路に連結し水熱交換器で生成した湯を貯留する貯湯タンクと、貯湯タンクから供給される湯を貯める浴槽と、浴槽に設けられその内部を洗浄するための洗浄回路と、浴槽に貯められた湯を保温するための湯保温回路とを備える。
【０００７】
本発明の実施の形態に係る第２の特徴は、ヒートポンプ給湯システムにおいて、圧縮機、水熱交換器、膨張弁、空気熱交換器を順次配管接続した冷凍サイクルと、水熱交換器の水回路に連結し水熱交換器で生成した湯を貯留する貯湯タンクと、水回路内において、水熱交換器と貯湯タンクとの間に設けられた流量制御弁と、水回路内において、水熱交換器の出口直後に設けられた温度測定器と、貯湯タンクから供給される湯を貯める浴槽と、浴槽に設けられその内部を洗浄するための洗浄回路と、浴槽に貯められた湯を保温するための湯保温回路とを備える。
【発明の効果】
【０００８】
本発明によれば、生成される湯を分散して貯湯することで貯湯タンクの小型化を図るとともに、より効率よく湯を生成することのできる経済的に優れたヒートポンプ給湯システムを提供する。
【発明を実施するための最良の形態】
【０００９】
（第１の実施の形態）
以下、本発明の第１の実施の形態について図面を参照して詳細に説明する。
【００１０】
図１は、本発明の実施の形態におけるヒートポンプ給湯システム１を住宅に設置した例を示した模式図である。
【００１１】
図１に示すように、ヒートポンプ給湯システム１は、大きく分けてヒートポンプユニット１０と、貯湯ユニット３０と、供給された湯が使用される各使用場所５０から構成されている。また、ヒートポンプ給湯システム１は、制御手段９０によってそのシステムが制御されている。ヒートポンプユニット１０と貯湯ユニット３０とはいわゆる水回路２１で、貯湯ユニット３０と各使用場所５０とは給湯管４０でそれぞれ接続されている。
【００１２】
ヒートポンプユニット１０には、冷凍サイクルにおいてサイクル内を循環する冷媒を圧縮する圧縮機１１と、冷媒の熱を利用して水を温める水熱交換器１２と、膨張弁１３と、膨張弁１３を通ってきた水熱交換器１２で液体となった冷媒を気体にする空気熱交換器１４とを順次配管接続した冷凍サイクル１５が設けられている。冷凍サイクル１５では、蒸発器として空気熱交換器１４を用いており、この空気熱交換器は外気を取り入れて冷媒を気体にする。
【００１３】
貯湯ユニット３０は、冷凍サイクル１５を利用して生成された湯を貯める貯湯タンク３１と、貯湯タンク３１の湯と水道水を混合して各使用場所５０に給湯する給湯混合弁３２と、浴槽に給湯する湯に水道水を混合して送る湯張混合弁３３と、浴槽に湯を供給する湯張弁３４とから構成されている。
【００１４】
ここで、ヒートポンプ給湯システムにおける冷凍サイクルについて、上述の冷凍サイクル１５を例に簡単に説明する。まず、気体である冷媒は圧縮機１１において圧力が掛けられて高温高圧にされ水熱交換器１２に供給される。一方、水道管Ｗから供給された水は、貯湯タンク３１から水配管を介してポンプ２０にて水熱交換器１２に送られる。水熱交換器１２内では、冷媒と水との間で熱交換が行われる。すなわち、冷媒の熱がポンプ２０によって水熱交換器１２に送り込まれた水を熱し、冷媒はこの水によって冷やされて気体から液体に変化する。熱せられた水は、湯となって貯湯タンク３１に貯えられ、また、この湯は給湯混合弁３２または湯張混合弁３３、湯張弁３４を通って、風呂場等の各使用場所５０に供給される。水熱交換器１２によって熱を奪われ液体になった冷媒は膨張弁１３、空気熱交換器１４によって再び気体にされてこれまでのサイクルを繰り返す。
【００１５】
貯湯タンク３１に貯められている湯は、給湯管４０を介して各使用場所５０へ供給される。湯は、給湯混合弁３２、或いは湯張混合弁３３において貯湯タンク３１内に貯められた湯と水道管Ｗから供給される水とが適宜混合されて各使用場所５０に供給される。これによって、各使用場所５０において適温の湯を使用することができる。
【００１６】
なお、図１では貯湯タンク３１の中央上部に線が示されているが、これは貯湯タンク３１の下部から水道管Ｗによって供給される水と冷凍サイクル１５によって生成され貯湯タンク３１の上部からその内部に供給され貯湯される湯との境界を表わすものである。
【００１７】
本発明の各実施の形態においては、図１に示すように湯の使用場所５０の例として、浴室５１、洗面所５２、台所５３が表わされている。浴室５１では、浴槽５１ａに湯が張られ、シャワー５１ｂで湯を使用することができるようにされている。また、洗面所５２では顔や手を洗うために湯が使用され、台所５３では料理をする際に湯が使用される。そして、各使用場所５０で使用された湯や水は、排水管６０を介して排水される。
【００１８】
なお、本発明の実施の形態における浴槽５１ａは、貯湯タンク３１から供給された湯を貯めておくため時間の経過とともに湯が冷めることのないように高い断熱性能を備えるものであることが好ましい。
【００１９】
また、浴槽５１ａには、その内部を洗浄するための洗浄回路が組み込まれている。洗浄回路７０は、水道管Ｗに接続され浴槽５１ａへの洗浄水の供給を制御する洗浄弁７１と、洗浄弁７１が開になったときに浴槽５１ａ内部へ水を噴霧するノズル７２と、浴槽５１ａ内部の湯或いは水を排水管６０へと排水する排水弁７３とから構成される。図１においては、水を噴霧するノズル７２は、浴槽５１ａの縁に矢印で示しているが、具体的には、例えば浴槽５１ａ内部に埋め込まれて設置されている。
【００２０】
浴槽５１ａの内部がノズル７２から噴霧された水によって洗浄された後は、排水弁７３が開かれて排水管６０を介して排水される。洗浄弁７１と排水弁７３とは、後述する制御手段９０によってその開閉が制御される。
【００２１】
また、浴槽５１ａには、浴槽５１ａ内部に貯められている湯の温度を保つための湯保温回路が接続されている。この湯保温回路８０は、浴槽に貯められた湯を湯保温回路８０内に循環させるポンプ８１と、この浴槽５１ａ内部に貯められている湯を貯湯タンク３１内の高温の湯との間で熱交換を行う追焚熱交換器８２とから構成される。さらに、追焚熱交換器８２内には、貯湯タンク３１内の湯が通るための管が設けられ、ポンプ８３によって貯湯タンク３１、追焚熱交換器８２、ポンプ８３、貯湯タンク３１の順に湯が循環する。
【００２２】
制御手段９０は、本発明の実施の形態におけるヒートポンプ給湯システム１のシステム全体を制御している。図１では図示の都合上、膨張弁１３、空気熱交換器１４との間の接続のみを例示し、その他のヒートポンプ給湯システム１の各部との接続を省略しているが、洗浄回路７０や湯保温回路８０内の弁やポンプの駆動を制御する。
【００２３】
次に、本発明の第１の実施の形態におけるヒートポンプ給湯システム１の働きについて図２に示すフローチャートを使用して説明する。また、貯湯タンク３１からは各使用場所５０のそれぞれに湯が供給されるが、ここでは浴室５１、中でも浴槽５１ａに供給される場合について説明する。
【００２４】
１日も終わりに近づくと、前日の深夜電力の時間帯を掛けて貯湯タンク３１内に貯められていた高温の湯は残りが少なくなり、貯湯タンク３１内の多くは水道管Ｗを介して供給される水となる。この後深夜電力帯に入ると、ヒートポンプ給湯システムが稼働し次の日に使用される高温の湯が生成され貯湯タンク３１に貯められる。但し、この方法では上述したような弊害があることから、本発明の第１の実施の形態においては、貯湯タンク３１には浴槽５１ａにて使用される温度を下げた湯（４０℃ないし４５℃くらいの湯。以下、便宜的に「低温の湯」という。）を貯める。
【００２５】
そこで、深夜電力帯に入ると風呂給湯用貯湯運転が開始される（ＳＴ１）。この貯湯運転は通常の貯湯運転と同様、ヒートポンプユニット１０を駆動することによって上述したような流れで行われる。なお、この「通常の貯湯運転」とは、ヒートポンプユニット１０を使用して貯湯タンク３１に高温の湯を貯める運転である。
【００２６】
風呂給湯用貯湯運転では、貯湯タンク３１に浴槽５１ａに湯張りするための湯（低温の湯）を貯湯する（ＳＴ２）。この風呂供給用貯湯運転で生成される湯は、通常の貯湯運転よりもその湯の温度が低いことから低温の湯を生成するに当たって使用される電力量も少なくて済み、電気代が安く済むことから経済的である。
【００２７】
低温の湯は浴槽５１ａに貯めることができるだけの量生成できれば足りる。従って、貯湯タンク３１に設けられている図示しない水量計からの情報を基に、制御手段９０は低温の湯の生成量を制御する（ＳＴ３）。必要量生成されるまでヒートポンプユニット１０が駆動され、貯湯タンク３１に低温の湯が必要量貯湯されたと判断された場合には（ＳＴ３のＹＥＳ）、低温の湯の生成が終了する。
【００２８】
生成された低温の湯は、浴槽５１ａに貯められることになるため、浴槽５１ａに使用された後の湯が残っていると混ざってしまい好ましくない。そこで、制御手段９０が洗浄回路７０の排水弁７３を開放し、浴槽５１ａ内部の残湯を排水する（ＳＴ４）。排水弁７３が設けられている排水管には、図１において図示しない流量計が設けられており、この流量計によって計測される値を基に浴槽５１ａに残湯が残っていないかが判断される（ＳＴ５）。制御手段９０によって浴槽５１ａには湯が残っていないと判断されると（ＳＴ５のＹＥＳ）、次に浴槽の自動洗浄運転が開始される（ＳＴ６）。
【００２９】
浴槽５１ａの自動洗浄は、上述したように図１に示す洗浄回路７０における洗浄弁７１が制御手段９０によって開の状態になることで開始される。洗浄弁７１が開になると浴槽５１ａの内部がノズル７２から噴霧された水によって洗浄される。そして排水弁７３も開の状態となり、浴槽５１ａの内部を洗浄した水が排水管６０に排水される。
【００３０】
制御手段９０は、洗浄回路７０を使用しての浴槽５１ａの洗浄が終了したか否かを判断する（ＳＴ７）。これは例えば、洗浄開始から予め定められた所定の時間が経過した時を捉えて判断する、或いは、ノズル７２から浴槽５１ａの内部に噴霧された水の量を計測して判断する等、様々な方法によって判断することができる。洗浄が終了すると浴槽５１ａに貯湯タンク３１に貯めた風呂湯張り用の低温の湯を貯める準備が整ったことになる。
【００３１】
そこで、制御手段９０は、湯張弁３４を開き貯湯タンク３１に貯められた風呂湯張り用の低温の湯を浴槽５１ａに供給する（ＳＴ８）。これによって浴槽５１ａに低温の湯（風呂の使用時に適温である４０℃ないし４５℃くらいの湯）が貯められる。浴槽５１ａに低温の湯を供給すると、貯湯タンク３１の内部にはその下部に接続された水道管Ｗを介して水道水が貯められる。
【００３２】
制御手段９０は浴槽５１ａに必要量の低温の湯が貯められたと判断したら（ＳＴ９のＹＥＳ）、湯張弁３４を閉じて通常の貯湯運転を開始する（ＳＴ１０）。貯湯タンク３１が満タンになるまで通常の貯湯運転が継続され（ＳＴ１１）、満タンになるとその運転を終了する。
【００３３】
通常の貯湯運転は、深夜電力帯に行われるが、貯湯タンク３１内を満タンにするほど高温の湯を生成するには所定の時間が必要となる。浴槽５１ａの低温の湯はこの通常の貯湯運転の前に貯められるため、浴槽が高い断熱性能を備える浴槽であったとしてもその湯温が若干低下することは避けられない。
【００３４】
そこで、貯湯タンク３１内に高温の湯が満タンにされた後に、湯保温回路８０を使用して浴槽５１ａに貯められている低温の湯の保温を行う（ＳＴ１２）。具体的には、浴槽５１ａ内に貯められている低温の湯をポンプ８１によって追焚熱交換器８２に送り、この追焚熱交換器８２において貯湯タンク３１内の高温の湯と熱交換を行う。追焚熱交換器８２内において熱交換されて保温された低温の湯は、再度湯保温回路８０を介して浴槽５１ａに戻る。一方、貯湯タンク３１から追焚熱交換器８２への高温の湯の供給は、ポンプ８３が行う。
【００３５】
以上説明した通り、浴槽５１ａにおいて使用される湯（低温の湯）を貯湯タンク３１にではなく浴槽５１ａにおいて貯湯することによって、その量の分貯湯タンク３１の容量を小さくすることが可能となる。また、生成される全ての湯が高温の状態のまま使用されることは少ない現状に鑑みて、浴槽において使用する湯については、その使用時における温度に近い低温の湯として最初から生成することとすれば湯を生成するに必要な電気量も低く押さえることができるため、より経済的である。
【００３６】
従って、上述のような構成及び制御方法を採用することによって、生成される湯を分散して貯湯することで貯湯タンクの小型化を図るとともに、より効率よく湯を生成することのできる経済的に優れたヒートポンプ給湯システムを提供することができる。
【００３７】
（第２の実施の形態）
次に本発明の第２の実施の形態について説明する。なお、第２の実施の形態において、上述の第１の実施の形態において説明した構成要素と同一の構成要素には同一の符号を付し、同一の構成要素の説明は重複するので省略する。
【００３８】
第２の実施の形態におけるヒートポンプ給湯システム１００は、上述した第１の実施の形態において説明したヒートポンプ給湯システム１の水回路２１内であって水熱交換器１２と貯湯タンク３１との間に流量制御弁２２を設けたこと、水回路２１内の水熱交換器１２の出口直後に温度測定器２３を設けたこと、及びこの流量制御弁２２を設けたことによって生ずる浴槽５１ａに湯を供給する手順、の３点が第１の実施の形態におけるヒートポンプ給湯システム１と相違する。
【００３９】
第１の実施の形態におけるヒートポンプ給湯システム１では、深夜電力帯の最初において低温の湯を生成して浴槽５１ａに貯湯し、その後通常の貯湯運転を行う。そのため、浴槽５１ａへの貯湯から実際に浴槽５１ａに貯められた低温の湯が使用されるまでの時間が長くなり、その間の熱ロスが大きい。そこで時間経過に伴う湯温の低下を防止するために湯保温回路８０を使用して保温を行っている。但し、この保温手続を行うにも追焚熱交換器８２を長時間駆動させることが必要になる等、経済的にもロスとなりかねない。
【００４０】
そこで、第２の実施の形態においては、まず通常の貯湯運転を行った上で、浴槽に湯を供給することとした。この手順で低温の湯を生成し浴槽に貯湯することによって、上述したような弊害を防止することができる。
【００４１】
第２の実施の形態におけるヒートポンプ給湯システム１００においては、図３に示すように、ヒートポンプユニット１０内に設けられる水回路２１上に流量制御弁２２及び温度測定器２３を設けている。具体的には、流量制御弁２２は、貯湯タンク３１とポンプ２０との間に、温度測定器２３は水熱交換器１２の出口直後であって水熱交換器１２と貯湯タンク３１との間にそれぞれ設けられている。
【００４２】
次に、第２の実施の形態における浴槽５１ａへの低温の湯の供給手順について、図４に示すフローチャートを使用して説明する。
【００４３】
深夜電力帯になるとまず通常の貯湯運転が開始される（ＳＴ２１）。すなわち、貯湯タンク３１内に高温の湯を貯める。貯湯タンク３１に高温の湯が満タンとなるまで高温の湯が生成され貯められる（ＳＴ２２）。制御手段９０によって貯湯タンク３１が満タンになったと判断された場合には（ＳＴ２２のＹＥＳ）、次に浴槽５１ａに低温の湯を貯める手続に移る。
【００４４】
但し、浴槽５１ａに貯められた低温の湯の熱ロスをできるだけ小さく押さえるためには、深夜電力帯の終了間際に浴槽５１ａに低温の湯が供給されるようにヒートポンプ給湯システム１００を制御すべきである。そのため、貯湯タンク３１内に高温の湯を満タンにするのに必要な時間と、低温の湯を生成して浴槽５１ａに供給するのに必要な時間とを予め把握しておき、深夜電力帯の開始時から終了時の中で適宜制御を行う必要がある。この制御パターンは、予め制御手段９０にインプットされる。従って、通常の貯湯運転の後いつから浴槽５１ａへ供給する低温の湯を生成し始めるかは任意に定めることが可能である。
【００４５】
制御手段９０に予めインプットされた制御パターンに従って通常の貯湯運転の後、所定の時間が経過した後、浴槽５１ａの洗浄のためにその中に残っている湯を排水する（ＳＴ２３）。この浴槽５１ａの洗浄過程は、上述した第１の実施の形態における洗浄過程と同様である。すなわち、残水を排水後、浴槽５１ａ内に残水がないことを確認した上で（ＳＴ２４）、浴槽５１ａの自動洗浄運転が開始される（ＳＴ２５）。そして自動洗浄運転が終了したか否かが制御手段９０によって判断され（ＳＴ２６）、浴槽５１ａに低温の湯が供給される（ＳＴ２７）。
【００４６】
浴槽５１ａに供給される湯は、ヒートポンプユニット１０を使用して水道水を直接加熱して生成される低温の湯である。これまでのヒートポンプ給湯システムのように生成された高温の湯に水道水等を混合してその温度を適切な湯温まで落とすのではなく、最初から浴槽５１ａにおいて使用される温度を持つ湯（低温の湯）を生成する。このことによって、湯を生成するに必要な電気量も低く押さえることができるため、より経済的である。
【００４７】
具体的には、水熱交換器１２に供給される水道水の量を制御手段９０からの指示に基づいて流量制御弁２２を使用して低温の湯を生成するのに必要な水量に制御する。この制御を行うに当たっては、水熱交換器１２の出口直後に設置した温度測定器２３によって測定された、生成された低温の湯の湯温を参照する。温度測定器２３は、水熱交換器１２を出たばかりの低温の湯の湯温を測定し、その情報を制御手段９０にフィードバックする。制御手段９０ではこの情報に基づいて流量制御弁２２の開度を決定し、適切な温度を持つ低温の湯を生成するように制御する。
【００４８】
水熱交換器１２を経て生成された低温の湯はそのまま浴槽５１ａに供給される。その際には、制御手段９０は、給湯混合弁３２を閉じ、湯張混合弁３３及び湯張弁３４を開にして浴槽５１ａに供給する。
【００４９】
その後、適宜浴槽５１ａに貯められている低温の湯の保温を行う（ＳＴ２８）。保温の手順は上述したように、湯保温回路８０の追焚熱交換器８２を用いて、貯湯タンク３１内の高温の湯と浴槽５１ａ内の低温の湯との間で熱交換を行うことによって行われる。
【００５０】
このような手順を経て浴槽５１ａに低温の湯を供給することによって、生成される湯を分散して貯湯することで貯湯タンクの小型化を図るとともに、より効率よく湯を生成することのできる経済的に優れたヒートポンプ給湯システムを提供することができる。
【００５１】
特に、深夜時間帯の終わりの時間帯において浴槽への低温の湯を供給するので、実際に浴槽の湯が使用されるまでの時間を短くすることができ、それだけ保温手続を行う時間が短くて済むことから経済的に優れる。
【００５２】
なお、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００５３】
【図１】本発明の第１の実施の形態に係るヒートポンプ給湯システムを示す構成図である。
【図２】本発明の第１の実施の形態に係る浴槽への給湯手順を示したフローチャートである。
【図３】本発明の第２の実施の形態に係るヒートポンプ給湯システムを示す構成図である。
【図４】本発明の第２の実施の形態に係る浴槽への給湯手順を示したフローチャートである。
【符号の説明】
【００５４】
１，１００…ヒートポンプ給湯システム、１０…ヒートポンプユニット、１１…圧縮機、１２…水熱交換器、１３…膨張弁、１４…空気熱交換器、１５…冷凍サイクル、２０…ポンプ、２１…水回路、２２…流量制御弁、２３…温度測定器、３０…貯湯ユニット、３１…貯湯タンク、３２…給湯混合弁、３３…湯張混合弁、３４…湯張弁、４０…給湯管、５０…各使用場所、５１ａ…浴槽、６０…排水管、７０…洗浄回路、７１…洗浄弁、７２…ノズル、７３…排水弁、８０…湯保温回路、８１…ポンプ、８２…追焚熱交換器、８３…ポンプ、９０…制御手段、Ｗ…水道管
【図１】
2009264683.tif 000003
【図２】
2009264683.tif 000004
【図３】
2009264683.tif 000005
【図４】
2009264683.tif 000006